(57)【特許請求の範囲】
【請求項１】
それぞれレンズを有する一対のレンズ枠部材と、前記レンズ枠部材の内端部に離脱可能に係合して前記内端部どうしの間隔を調節かつ弾性変形可能な連結バンドとを含む水中めがねであって、
前記レンズ枠部材各々の内端部に第１係合部が形成され、前記連結バンドの各端部に前記第１係合部に係脱可能な第２係合部が形成されており、
前記第１、２係合部の一方が、環状部材と、前記環状部材が前記内端部どうしを結ぶ方向へ移動可能かつ抜脱不能に挿通されている軸部とを有し、前記係合部の他方が、前記軸部を前記連結バンドの弾性変形により通すことが可能な挿入口と、前記軸部を収める収容部とを有し、これによって前記軸部に係脱可能であり、かつ、前記環状部材を前記方向へ移動させることにより該他方の係合部の前記軸部における係脱位置が選択可能であり、その選択によって前記レンズ枠部材の内端部間隔が調節可能であることを特徴とする前記水中めがね。
【請求項２】
前記軸部の各軸端近傍に前記環状部材が複数個挿通されていて、該環状部材を互いに離間させると、それら離間している環状部どうしの間において、前記他方の係合部を前記軸部に係脱させることが可能である請求項１に記載の水中めがね。
【請求項３】
前記環状部材と軸部とが、前記連結バンドに形成されている請求項１または２に記載の水中めがね。
【請求項４】
前記環状部材と軸部とが、前記レンズ枠部材に形成されている請求項１または２に記載の水中めがね。
【発明の詳細な説明】
【０００１】
【発明の属する技術分野】
この発明は、遊泳等で使用する水中めがねに関する。
【０００２】
【従来の技術】
実開平７−２８５７７号公報には、一対のレンズ枠部材の内端部間隔を調整可能な水中めがねが開示されている。一対のレンズ枠部材は、バンドを介して連結されており、各レンズ枠部材の内端部には係止爪が形成され、連結用のバンドにはその係止爪に係脱可能な複数の係止突起が長手方向へ列設されている。この爪に係合させるべき突起を選択することによって、レンズ枠部材の内端部間隔を調節することができる。
【０００３】
【発明が解決しようとする課題】
前記公知例において、連結バンドは、突起と一体に柔軟弾性素材で形成されている。かかる突起は、簡単に変形して係合相手の爪から外れるということがないように、比較的大きく作られる。レンズ枠部材の内端部間隔は、連結バンドの突起を一つずつずらすことによって調節するから、その突起が大きくなるほど微小な調節が難しくなる。
【０００４】
そこで、この発明は、レンズ枠部材の内端部間隔の微少な調節を可能にする連結バンドの提供を課題にしている。
【０００５】
【課題を解決するための手段】
前記課題を解決するために、この発明が前提とするところは、それぞれレンズを有する一対のレンズ枠部材と、前記レンズ枠部材の内端部に離脱可能に係合して前記内端部どうしの間隔を調節かつ弾性変形可能な連結バンドとを含む水中めがねである。
【０００６】
かかる前提において、この発明が特徴とするところは、前記レンズ枠部材各々の内端部に第１係合部が形成され、前記連結バンドの各端部に前記第１係合部に係脱可能な第２係合部が形成されており、前記第１、２係合部の一方が、環状部材と、前記環状部材が前記内端部どうしを結ぶ方向へ移動可能かつ抜脱不能に挿通されている軸部とを有し、前記係合部の他方が、前記軸部を前記連結バンドの弾性変形により通すことが可能な挿入口と、前記軸部を収める収容部とを有し、これによって前記軸部に係脱可能であり、かつ、前記環状部材を前記方向へ移動させることにより該他方の係合部の前記軸部における係脱位置が選択可能であり、その選択によって前記レンズ枠部材の内端部間隔が調節可能であること、にある。
【０００７】
この発明の好ましい実施態様の一つにおいては、前記軸部の各軸端近傍に前記環状部材が複数個挿通されていて、前記環状部材を互いに離間させると、それら離間している環状部どうしの間において、前記他方の係合部を前記軸部に係脱させることが可能である。
【０００８】
この発明の好ましい実施態様の他の例においては、前記環状部材と軸部とが、前記連結バンドに形成されているか、または前記環状部材と軸部とが、前記レンズ枠部材に形成されている。
【０００９】
【発明の実施の形態】
添付の図面を参照して、この発明に係る水中めがねの詳細を説明すると、以下のとおりである。
【００１０】
図１に斜視図で示された水中めがね１は、それぞれレンズ２Ａが一体に形成された一対のレンズ枠部材２と、各レンズ枠部材２の内端部３どうしを連結している連結バンド４と、各レンズ枠部材２の外端部８間に延在する着用バンド７とを有する。各レンズ枠部材２の内端部３は、内端部３どうしを結ぶ方向へ延びる腕部６を有し、腕部６の先端には、水中めがね１の前方へ向かって開口しているバンド係止部１１が形成されている。
【００１１】
連結バンド４は、中央部１２から各レンズ枠部材２へ向かって延びる各端部１３においてバンド係止部１１に離脱可能に係合している。端部１３には、フランジ１６が形成されており、フランジ１６の内側には、フランジ１６とバンド中央部１２との間をバンド４に沿って移動可能な２個のスぺーサーリング１７が配設されている。図では、連結バンド４が、互いに離間しているスぺーサーリング１７間において、バンド係止部１１に係合している。
【００１２】
図２，３は、図１のＩＩ−ＩＩ線断面矢視図、およびレンズ枠部材の内端部３と内端部３から離脱している連結バンド４との斜視図である。内端部３の係止部１１は、水中めがねの中心線Ｃ−Ｃ（図１参照）から見るとＣ字型または逆Ｃ字型を呈していて、前方にバンド挿入口１１Ａ、後方にバンド収容部１１Ｂを有する。挿入口１１Ａの上下方向の寸法は、バンド端部１３の上下方向の寸法よりも小さく、収容部１１Ｂの上下方向の寸法と前後方向の寸法とは、バンド端部１３のそれらとほぼ同じであるか、またはそれらよりも大きい。
【００１３】
連結バンド４は、バンド中央部１２と、中央部１２の両端から左右方向へ延出していて、中央部１２よりも径が小さいバンド端部１３と、各端部１３の先端に形成されていて、端部１３よりも径が大きいフランジ１６と、各端部１３に嵌められていて、端部１３を軸として中央部１２とフランジ１６との間を移動可能、好ましくは端部１３に摺接して移動可能な２個のスぺーサーリング１７とで構成されている。リング１７は、フランジ１６の存在によってバンド４から抜脱することがない。
【００１４】
図１，２では、２個のリング１７のうちの一方が中央部１２へ寄せられ、他方がフランジ１６へ寄せられていて、互いに離間したリング１７間に係止部１１が位置している。ただし、図示例の他に、両方のリング１７を中央部１２へ寄せて、係止部１１をフランジ１６とリング１７との間に位置させれば、レンズ枠部材２の内端部３間隔を大きくすることができる。また、両方のリング１７をフランジ１６へ寄せて、係止部１１を中央部１２とリング１７との間に位置させれば、内端部３間隔を小さくすることができる。
【００１５】
このように構成されている水中めがね１では、好ましくはレンズ枠部材２が硬質プラスチック材料から成形され、連結バンド４が弾性材料から成形されていて、連結バンド４は、端部１３の径と断面形状とが係止部１１の挿入口１１Ａを通り、好ましくは弾性変形して挿入口１１Ａを通り、収容部１１Ｂへ納まるように形成されている。これとは反対に、収容部１１Ｂ内の連結バンド４は、挿入口１１Ａを通り外される。
【００１６】
連結バンド４において、左右のバンド端部１３それぞれに嵌められるスぺーサーリング１７の個数は、図示例の２個に限らず、１個でもよいし、３個以上であってもよい。いずれの場合であっても、リング１７の位置の選択によって、レンズ枠部材２の内端部３間隔を調節することができる。その間隔は、スぺーサーリング１７一つ分の厚みＴ0ずつ変化するから、厚みＴ0を小さくしておくほど間隔の微小な調節が可能になる。
【００１７】
図４は、この発明の実施態様の一例を示す図２と同様の図面である。この水中めがね１の連結バンド４では、図２における径の大きな中央部１２が無くて、その中央部１２に代わって左右の径の小さい端部１３が中心線Ｃ−Ｃ方向へ延びてつながり、バンド１３Ａを形成している。バンド１３Ａには、それを軸にして移動可能な２個以上、好ましくは４個以上、より好ましくは５個以上のスぺーサーリング１７が嵌められている。バンド１３Ａは、リング１７どうしの間、またはフランジ１６とリング１７との間において、係止部１１へ挿入可能である。
【００１８】
図５もまた、この発明の実施態様の一例を示す図２と同様の図面である。この水中めがね１では、レンズ枠部材２の内端部３の腕部６が中心線Ｃ−Ｃ方向へ長く延びていて、延びた先端にフランジ１６が形成されている。腕部６には、それを軸として軸方向へ移動可能な２個のスぺーサーリング１７が嵌められている。連結バンド４の両端部１３には、腕部６に係脱可能な係止部１１が形成されている。かかる係止部１１は、図１、２の係止部と同様に挿入口１１Ａと、収容部１１Ｂとを有し、腕部６を収容することができる。この場合にも、内端部３が硬質プラスチック材料で成形され、連結バンド４が弾性材料で成形される。
【００１９】
これら図示例のレンズ枠部材２は、レンズ２Ａと、レンズ周囲のフレーム２Ｂと、連結バンド４が係脱する係止部１１とが一体に成形されているものであるが、かかる部材２に代えて、レンズとフレームとを別体にして、そのレンズに連結バンド４が係脱する係止部１１を形成したり、別体のフレームにそのような係止部１１を形成したりしたものをレンズ部材２とすることにより、この発明を実施することも可能である。
【００２０】
【発明の効果】
この発明に係る水中めがねでは、一対のレンズ部材の内端部間隔をスぺーサーの位置の選択によって調節できるようにしてあるから、そのスぺーサーの厚みを薄くすることによって、間隔の微小な調節が可能になる。
【図面の簡単な説明】
【図１】水中めがねの斜視図。
【図２】図１のＩＩ−ＩＩ線断面矢視図。
【図３】水中めがね内端部と連結バンドとの斜視図。
【図４】発明の実施態様の一例を示す図２と同様の図面。
【図５】発明の実施態様の他の一例を示す図２と同様の図面。
【符号の説明】
１    水中めがね
２    レンズ枠部材
２Ａ    レンズ
３    内端部
４    連結バンド
１１    係合部（バンド係止部）
１３    軸部（端部）
１３ａ    軸部
１７    環状部材（スペーサーリング）
【図１】
0003908342.tif 000002
【図２】
0003908342.tif 000003
【図３】
0003908342.tif 000004
【図４】
0003908342.tif 000005
【図５】
0003908342.tif 000006